(57)【要約】【課題】  収容している衣類が整頓されている状態を保つことができる衣類収容具を提供することを課題とする。【解決手段】  本発明の衣類収容具は、衣服を保持する衣服保持部と、該衣服保持部と共働して帯状物を保持する少なくとも一つの帯状物保持部とを備え、前記衣服保持部は、前記衣服を挟む一対の保持板と、該一対の保持板を開閉可能にそれぞれの一端同士を接続する接続部とを有し、前記帯状物保持部は、前記保持板に接続される基端、及び該基端とは反対側の先端を有する押片を有し、該押片の基端は、前記押片の先端よりも前記接続部側に位置することを特徴とする。【選択図】図１
2016078918.tif 000002
【特許請求の範囲】
【請求項１】
衣服を保持する衣服保持部と、該衣服保持部と共働して帯状物を保持する少なくとも一つの帯状物保持部とを備え、前記衣服保持部は、前記衣服を挟む一対の保持板と、該一対の保持板を開閉可能にそれぞれの一端同士を接続する接続部とを有し、前記帯状物保持部は、前記保持板に接続される基端、及び該基端とは反対側の先端を有する押片を有し、該押片の基端は、前記押片の先端よりも前記接続部側に位置することを特徴とする衣類収容具。
【請求項２】
前記保持板は、前記帯状物保持部の押片と対応する領域に形成される穴であって、面直交方向において貫通する穴を有する請求項１に記載の衣類収容具。
【請求項３】
シート状の部材に形成された凸状をなす切込線の内側の領域によって前記帯状物保持部の押片が形成され、シート状の部材の前記該切込線の外側の領域によって前記衣服保持部の保持板が形成される請求項２に記載の衣類収容具。
【請求項４】
前記一対の保持板のうちの少なくとも何れか一方の保持板は、面直交方向において貫通するように形成される貫通穴を有し、前記貫通穴は、前記衣服と対応する領域を含む位置に形成される請求項１乃至請求項３の何れか一項に記載の衣類収容具。
【請求項５】
前記貫通穴は、前記一対の保持板のそれぞれの他端側の領域に形成され、前記一対の保持板のそれぞれの貫通穴は、前記接続部を中心として対称となる位置に配置される請求項４に記載の衣類収容具。
【発明の詳細な説明】
【技術分野】
【０００１】
本発明は、衣類を収容して持ち運ぶ衣類収容具に関する。
【背景技術】
【０００２】
従来から、衣類を持ち運ぶための衣類収容具が提供されている。かかる衣類収容具は、例えば、折り畳まれた衣服（例えば、ワイシャツや、ブラウス等）を配置する領域（以下、配置領域という）を画定した箱状のケース部であって、該配置領域の上方を開放させたケース部と、該ケース部の開放部分を閉じる蓋部とを備えている。
【０００３】
ケース部は、衣服を配置する台部と、該台部の外周縁部全周から起立する周壁部とを有する。これにより、ケース部では、台部と周壁部とが配置領域を画定し、周壁部の上端が開放領域を画定している。すなわち、ケース部は、周壁部が台部に配置された衣服の周囲を取り囲むように構成されている（例えば、特許文献１参照）。
【０００４】
前記衣類収容具に衣服を収容する場合、まず、台部に衣服が配置される。そして、ケース部の開放部分が蓋部によって閉じられる。これに伴い、ケース部と蓋部とが衣服を挟み込む。従って、前記衣類収容具は、衣服を収容している状態で持ち運ぶことができるとされている。
【０００５】
ところで、前記衣類収容具は、衣服に加えて、ネクタイや、ベルト等の帯状物を収容した状態で持ち運ばれることがある。この場合、前記衣類収容具では、帯状物が衣服の襟刳りに囲まれた領域や、衣服と蓋部との間の隙間に配置される。すなわち、帯状物は、該衣服に載せられた状態になっている。
【０００６】
そのため、前記衣類収容具では、持ち運び時の揺れによって帯状物が動くと、該帯状物や衣服が散らかることが原因となり、収容している衣類に皺が生じることがあった。
【先行技術文献】
【特許文献】
【０００７】
【特許文献１】実用新案登録第３１８９４９１号公報
【発明の概要】
【発明が解決しようとする課題】
【０００８】
そこで、本発明は、かかる実情に鑑み、収容している衣類が整頓されている状態を保つことのできる衣類収容具を提供することを課題とする。
【課題を解決するための手段】
【０００９】
本発明に係る衣類収容具は、衣服を保持する衣服保持部と、該衣服保持部と共働して帯状物を保持する少なくとも一つの帯状物保持部とを備え、前記衣服保持部は、前記衣服を挟む一対の保持板と、該一対の保持板を開閉可能にそれぞれの一端同士を接続する接続部とを有し、前記帯状物保持部は、前記保持板に接続される基端、及び該基端とは反対側の先端を有する押片を有し、該押片の基端は、前記押片の先端よりも前記接続部側に位置することを特徴とする。
【００１０】
上記構成の衣類収容具によれば、一対の保持板が接続部によって開閉可能に接続される。そのため、前記衣服保持部は、一対の保持板を開くことによって、該一対の保持板の間に衣服を配置できる状態になる。
【００１１】
そして、一対の保持板の間に衣服が配置されている状態において、一対の保持板が閉じられると、衣服が該一対の保持板のそれぞれよって挟まれる。従って、衣服保持部は、一対の保持板の間に衣服を留めることができる。
【００１２】
また、前記衣類収容具では、帯状物保持部と衣服保持部とが共働して帯状物を保持することができる。より具体的に説明する。前記衣類収容具では、保持板と押片との間に帯状物を配置すると、該帯状物によって押片が保持板から離間する方向に押される。これに伴い、帯状物には、押片からの反力が作用する。すなわち、帯状物保持部は、押片によって帯状物を保持板側に向けて押すことができる。
【００１３】
これにより、帯状物は、帯状物保持部の押片と保持板とによって挟み込まれる。従って、前記衣類収容具は、衣服保持部と帯状物保持部とによって帯状物を保持することができる。
【００１４】
さらに、帯状物保持部の押片では、保持板につながる基端が先端よりも接続部側に位置する。前記衣類収容具では、保持板を開閉させるに伴い、帯状物が接続部側に移動しようとする。そのため、前記衣類収容具では、帯状物の接続部側への移動が押片の基端によって規制される。従って、前記衣類収容具は、保持板を開閉させるに伴って、帯状物が脱落することを抑えることもできる。
【００１５】
本発明に係る衣類収容具の一態様として、前記保持板は、前記帯状物保持部の押片と対応する領域に形成される穴であって、面直交方向において貫通する穴を有するようにしてもよい。
【００１６】
かかる構成によれば、押片によって帯状物が保持板側に押されると、保持板の穴を通じて帯状物と、衣服とが互いに接触する。そのため、前記衣類収容具では、帯状物と衣服とが相対移動しようとすると、該帯状物と衣服との間に摩擦力が生じる。
【００１７】
従って、前記衣類収容具では、帯状物と衣服との相対移動が妨げられるため、帯状物と衣服とをより確実に所定の位置に留めることができる。
【００１８】
この場合、シート状の部材に形成された凸状をなす切込線の内側の領域によって前記帯状物保持部の押片が形成され、シート状の部材の前記該切込線の外側の領域によって前記衣服保持部の保持板が形成されるようにしてもよい。
【００１９】
このようにすれば、前記衣類収容具は、保持板の一方の面側と、保持板の他方の面側とに押片を撓ませることができるようになる。従って、前記衣類収容具では、保持板の一方の面側と、保持板の他方の面側とにおいて帯状物を保持することができる。
【００２０】
本発明に係る衣類収容具の他態様として、前記一対の保持板のうちの少なくとも何れか一方の保持板は、面直交方向において貫通するように形成される貫通穴を有し、前記貫通穴は、前記衣服と対応する領域を含む位置に形成されるようにしてもよい。
【００２１】
このようにすれば、貫通穴を通じて、一対の保持板のそれぞれの間に収容されている衣服を視認することができる。従って、前記衣類収容具では、一対の保持板を開くことなく、衣服保持部に収容されている衣服を確認することができる。
【００２２】
この場合、シート状の部材に形成された凸状をなす切込線の内側の領域によって前記帯状物保持部の押片が形成され、シート状の部材の前記該切込線の外側の領域によって前記衣服保持部の保持板が形成されるようにしてもよい。
【００２３】
本発明に係る衣類収容具の別の態様として、前記貫通穴は、前記一対の保持板のそれぞれの他端側の領域に形成され、前記一対の保持板のそれぞれの貫通穴は、前記接続部を中心として対称となる位置に配置されるようにしてもよい。
【００２４】
このようにすれば、一対の保持板を閉じると、該一対の保持板の貫通穴のそれぞれが重なる。そのため、前記衣類保持部は、一対の保持板の貫通穴のそれぞれの縁部に手を掛けて持ち運ぶことができる。
【発明の効果】
【００２５】
以上のように、本発明に係る衣類収容具は、収容している衣類が整頓されている状態を保つことができるという優れた効果を奏し得る。
【図面の簡単な説明】
【００２６】
【図１】図１は、本発明の第一実施形態に係る衣類収容具の斜視図である。
【図２】図２は、同実施形態に係る衣類収容具における衣服保持部の平面図である。
【図３】図３は、同実施形態に係る衣類収容具における衣服保持部の展開図である。
【図４】図４は、同実施形態に係る衣類収容具における外装体の斜視図である。
【図５】図５は、同実施形態に係る衣類収容具の説明図であって、保持板に衣服を配置した状態の説明図である。
【図６】図６は、同実施形態に係る衣類収容具の説明図であって、保持板と帯状物保持部とによって帯状物を保持している状態の説明図である。
【図７】図７は、同実施形態に係る衣類収容具の説明図であって、外装体内に衣服保持部を配置した状態の説明図である。
【図８】図８は、同実施形態に係る衣類収容具の説明図であって、保持板を開閉させている状態の説明図である。
【発明を実施するための形態】
【００２７】
以下、本発明の第一実施形態に係る衣類収容具について添付図面を参照しつつ説明する。図１乃至図３に示すように、本実施形態に係る衣類収容具１は、衣服Ｃ１（例えば、ワイシャツや、ブラウス、ポロシャツ等）を保持する衣服保持部２と、該衣服保持部２と共働して帯状物Ｃ２（例えば、ネクタイや、ベルト等）を保持する少なくとも一つの帯状物保持部３と、を備える。なお、本実施形態に係る衣類収容具１は、外装体４内に収められるようになっている（図７参照）。
【００２８】
図３に示すように、前記衣服保持部２は、衣服Ｃ１を挟む保持板２０と、一対の保持板２０を開閉可能に接続する接続部２１と、を有する。
【００２９】
一対の保持板２０のそれぞれは、別体である。一対の保持板２０のそれぞれは、略矩形をなす板状の部材によって構成されている。
【００３０】
一対の保持板２０のそれぞれは、衣服Ｃ１と対向する対向面と、該対向面とは反対側の外面とを有する。また、一対の保持板２０のそれぞれは、接続部２１が接続される基端２００と、該基端２００とは反対側の先端２０１と、を有する。
【００３１】
なお、本実施形態では、保持板２０の基端２００と先端２０１とが並ぶ方向を第一方向とし、保持板２０の対向面（外面）に面直交する方向を第二方向とし、第一方向及び第二方向のそれぞれの方向に直交する方向を第三方向として、以下の説明を行う。
【００３２】
一対の保持板２０のそれぞれは、面直交方向において貫通するように形成される貫通穴２０２（対向面から外面に亘って貫通するように形成される貫通穴２０２）を有する。各保持板２０の貫通穴２０２は、衣服Ｃ１と対応する領域を含む位置に形成される。すなわち、貫通穴２０２は、少なくとも一部が衣服Ｃ１と対応するように形成されている。なお、本実施形態に係る各保持板２０の貫通穴２０２は、全体が衣服Ｃ１と対応するように形成されている。
【００３３】
また、本実施形態に係る衣服保持部２では、一方の保持板２０と他方の保持板２０とを重ね合わせたときに、各保持板２０の貫通穴２０２が互いに対応する位置に配置されるように構成されている。
【００３４】
接続部２１は、一方向に長手をなしている。接続部２１の一方の長辺は、一方の保持板２０の基端２００に接続されている。接続部２１の他方の長辺は、他方の保持板２０の基端２００に接続されている。本実施形態に係る接続部２１は、布によって構成されている。
【００３５】
図２に示すように、帯状物保持部３は、保持板２０につながる基端と、該基端とは反対側の先端とを有する押片３０を有する。押片３０は、挟持板２０との間に配置された帯状物Ｃ２を保持できる程度の剛性を有する。
【００３６】
なお、本実施形態では、押片３０の基端側を被固定片３１とし、押片３０の先端側を延出片３２として以下の説明を行う。
【００３７】
被固定片３１は、延出片３２よりも接続部２１側に位置する。すなわち、押片３０の基端は、押片３０の先端よりも接続部２１側に位置している。被固定片３１の幅は、延出片３２の幅よりも広くなっている。延出片３２は、被固定片３１に連続する基端と、該基端とは反対側の先端とを有する。
【００３８】
本実施形態に係る衣類収容具１では、シート状の部材に形成された切込線Ｌであって、凸状をなす切込線Ｌの内側の領域によって帯状物保持部３の押片３０が構成されている。これに伴い、衣類収容具１では、シート状の部材における切込線Ｌの外側の領域によって保持板２０が構成されている。
【００３９】
切込線Ｌは、接続部２１側（保持板２０の基端２００側）に位置する第一端、及び保持板２０の先端２０１側に位置する第二端を有する第一の切込線Ｌ１であって、第三方向で互いに間隔をあけて並ぶ一対の第一の切込線Ｌ１と、該一対の第一の切込線Ｌ１のそれぞれの第二端に連続する第二の切込線Ｌ２と、を含む。
【００４０】
一方の第一の切込線Ｌ１の第一端側と他方の第一の切込線Ｌ１の第一端側との間隔は、一方の第一の切込線Ｌ１の第二端側と他方の第一の切込線Ｌ１の第二端側との間隔よりも広い。
【００４１】
そのため、本実施形態に係る帯状物保持部３では、シート状の部材のうちの、一方の第一の切込線Ｌ１の第一端側と他方の第一の切込線Ｌ１の第一端側との間の部分によって被固定片３１が構成され、シート状の部材のうちの、一方の第一の切込線Ｌ１の第二端側と他方の第一の切込線Ｌ１の第二端側との間の部分によって、延出片３２が構成される。
【００４２】
本実施形態に係る衣類収容具１は、複数の帯状物保持部３を備えている。より具体的に説明する。本実施形態に係る衣類収容具１では、一対の保持板２０のそれぞれに対して、帯状物保持部３が二つずつ形成されている。
【００４３】
一方の保持板２０に形成される二つの帯状物保持部３は、第三方向で互いに間隔をあけて並ぶ。他方の保持板２０に形成される二つの帯状物保持部３は、第三方向で互いに間隔をあけて並ぶ。
【００４４】
図４に示すように、外装体４は、内部に衣服保持部２を配置可能な空間を有するカバー部４０であって、外周縁部の一部が開放されるカバー部４０と、該カバー部４０の開放される部分（以下、開放部分とする）を閉じた状態にするための連結部４１と、を有する。
【００４５】
カバー部４０は、保持板２０の外面に配置される一対の被覆部４００を有する。一対の被覆部４００のそれぞれは、略矩形状（本実施形態では、長方形状）に形成される。
【００４６】
一対の被覆部４００のそれぞれは、一対の長辺と、該長辺のそれぞれに連続する一対の短辺とを有する。一対の被覆部４００のそれぞれは、一方の長辺と一方の短辺との間が閉じられている。そして、一対の被覆部４００のそれぞれは、他方の長辺と他方の短辺との間が開放されている。
【００４７】
連結部４１は、一対の被覆部４００のそれぞれの他方の長辺と、一対の被覆部４００のそれぞれの他方の短辺とを連結可能に構成される。
【００４８】
より具体的に説明する、連結部４１は、一対の被覆部４００のそれぞれの他方の長辺、及び一対の被覆部４００の他方の短辺に配置される複数の被連結部４１０と、一方の被覆部４００に固定される被連結部４１０、及び他方の被覆部４００に固定される被連結部４１０に接続可能な複数の接続片４１１とを有する。
【００４９】
被連結部４１０は、雌雄一対の面ファスナーのうちの何れか一方の面ファスナーによって構成される。そして、接続片４１１は、雌雄一対の面ファスナーのうちの何れか他方の面ファスナーによって構成される。
【００５０】
本実施形態に係る衣類収容具１は、以上の通りである。続いて、衣類収容具１を用いて衣服Ｃ１、及び帯状物Ｃ２を収容する方法について添付図面を参照しつつ説明を行う。
【００５１】
衣服保持部２に衣服Ｃ１を収容するにあたり、まず、一対の保持板２０が開かれる。そして、図５に示すように、一対の保持板２０の間に衣服Ｃ１が配置される。
【００５２】
そして、一対の保持板２０を閉じると、衣服Ｃ１が一対の保持板２０のそれぞれによって挟まれる。従って、衣服保持部２は、一対の保持板２０のそれぞれの間に衣服Ｃ１を留めることができる。
【００５３】
さらに、図６に示すように、第三方向において並ぶ二つの帯状物保持部３の延出片３２と、保持板２０の外面との間に帯状物Ｃ２が配置される。このとき、二つの帯状物保持部３の延出片３２は、帯状物Ｃ２によって保持板２０から離間する方向に押される。これに伴い、二つの帯状物保持部３の延出片３２は、保持板２０の外面から離間する方向に撓む。
【００５４】
上述のように、帯状物保持部３は、弾性を有する保持板２０の一部で構成されているため、二つの帯状物保持部３の延出片３２は、帯状物Ｃ２に反力を作用させる。そのため、帯状物Ｃ２が二つの帯状物保持部３のそれぞれの延出片３２と、保持板２０の外面とによって挟み込まれる。すなわち、二つの帯状物保持部３のそれぞれは、帯状物Ｃ２を保持板２０側に押し付ける。
【００５５】
これにより、衣類収容具１では、帯状物保持部３の延出片３２と、保持板２０とによって帯状物Ｃ２を挟み込むことができる。従って、衣類収容具１では、衣服保持部２と帯状物保持部３とによって帯状物Ｃ２を保持することができる。
【００５６】
上述のように、保持板２０における、帯状物保持部３の延出片３２と対応する領域には、対向面に対する面直交方向において貫通する穴２０３が形成される。そのため、穴２０３を通じて、帯状物における押片２０（延出片３２）に押されている部分が衣服Ｃ１に接触する。
【００５７】
さらに、本実施形態に係る衣類収容具１では、図７に示すように、衣服保持部２が外装体４内に配置され、外装体４の開放部分が閉じられる。
【００５８】
以上のように、本実施形態に係る衣類収容具１によれば、一対の保持板２０のそれぞれの対向面の間に衣服Ｃ１を留めることができ、また、衣服保持部２と帯状物保持部３とによって帯状物Ｃ２を保持することができる。
【００５９】
また、図８に示すように、衣類収容具１では、一対の保持板２０のそれぞれを開閉させるに伴い、帯状物Ｃ２が接続部２１側に移動しようとする（すなわち、帯状物Ｃ２が保持板２０の先端２０１側から保持板２０の基端２００側に移動しようとする）。
【００６０】
その一方で、衣類収容具１は、被固定片３１が延出片３２よりも接続部２１側に位置するため、接続部２１側に移動しようとする帯状物Ｃ２を所定の位置に留めることができる。このようにして、衣類収容具１は、保持板２０を開閉させるに伴って、帯状物Ｃ２が脱落することを抑えることもできる。
【００６１】
従って、衣類収容具１は、収容している衣類が整頓されている状態を保つことができる。
【００６２】
また、衣類収容具１では、押片３０（延出片３２）によって帯状物Ｃ２が保持板２０側に押されると、保持板２０の穴２０３を通じて帯状物Ｃ２と、衣服Ｃ１とが互いに接触する。そのため、衣類収容具１では、帯状物Ｃ２と衣服Ｃ１とが相対移動しようとすると、帯状物Ｃ２と衣服Ｃ１との間に摩擦力が生じる。
【００６３】
従って、衣類収容具１では、帯状物Ｃ２と衣服Ｃ１との相対移動が妨げられるため、帯状物Ｃ２と衣服Ｃ１とをより確実に所定の位置に留めることができる。
【００６４】
さらに、衣類収容具１では、シート状の部材に形成された切込線Ｌであって、凸状をなす切込線Ｌの内側の領域によって帯状物保持部３の押片３０が構成され、該切込線Ｌの外側の領域によって保持板２０が構成されている。
【００６５】
そのため、衣類収容具１では、帯状物保持部３を保持板２０の対向面側と、該対向面側の反対側とに撓ませることができる。従って、前記衣類収容具１では、保持板２０の対向面側と、該対向面側の反対側とにおいて帯状物Ｃ２を保持することができる。
【００６６】
また、衣類収容具１は、保持板２０とシート部とが同一のシート状の部材によって形成されるため、厚みを抑えることもできる。
【００６７】
さらに、一対の保持板２０のそれぞれに形成される貫通穴２０２は、衣服Ｃ１と対応する領域を含む位置に形成されている。そのため、衣類収容具１では、貫通穴２０２を通じて、一対の保持板２０のそれぞれの間に収容されている衣服Ｃ１を視認することができる。従って、衣類収容具１では、一対の保持板２０を開くことなく、衣服保持部２に収容されている衣服Ｃ１を確認することができる。
【００６８】
また、衣服保持部２は、一方の保持板２０と他方の保持板２０とを重ね合わせたときに、各保持板２０の貫通穴２０２が互いに対応する位置に配置されるように構成されている。そのため、衣類保持部２は、各保持板２０の貫通穴２０２の縁に手を掛けて持ち運ぶことができる。
【００６９】
そして、被固定片３１の幅は、延出片３２の幅よりも広くなっているため、延出片３２全体を保持板２０から容易に離間させることができる。そのため、衣類収容具１では、帯状物Ｃ２を容易に延出片３２と保持板２０との間に配置することができる。
【００７０】
なお、本発明の衣類収容具は、上記の各実施形態の内容に限定されるものではなく、本技術の要旨を逸脱しない範囲で適宜変更し得ることは勿論のことである。
【００７１】
上記実施形態において、衣類収容具１は、外装体４に収納されるようになっていたが、これに限定されるものではない。例えば、衣類収容具１は、外装体４内に収納されていなくてもよい。但し、帯状物Ｃ２を保護することを考慮すると、衣類収容具１は、外装体４内に収納されることがが好ましい。
【００７２】
上記実施形態において、一対の保持板２０のそれぞれには、貫通穴２０２が形成されていたが、これに限定されるものではない。例えば、一対の保持板２０のそれぞれには、貫通穴２０２が形成されていなくてもよい。但し、貫通穴２０２は、一対の保持板２０のうちの少なくとも何れか一方の保持板２０に形成されていてもよい。
【００７３】
上記実施形態において、各保持板２０の貫通穴２０２は、全体が衣服Ｃ１と対応するように形成されていたが、これに限定されるものではない。例えば、各保持板２０の貫通穴２０２は、一部が衣服Ｃ１と対応するように形成されていてもよい。
【００７４】
このようにすれば、各保持板２０の貫通穴２０２には、衣服Ｃ１から外れた領域が含まれる。そのため、各保持板２０の貫通穴２０２に手を通しやすくすることができる。
【００７５】
上記実施形態において、一対の保持板２０、及び接続部２１のそれぞれは、別体となっていたが、これに限定されるものではない。例えば、一対の保持板２０、及び接続部２１のそれぞれは、一枚のシート状の部材で構成されていても良い。
【００７６】
この場合、接続部２１の長手方向における両側の部分には、切欠部が形成されていてもよい。すなわち、接続部２１の長手方向における全長が各保持板２０の基端２００の全長よりも短くなっていてもよい。
【００７７】
また、一対の保持板２０、及び接続部２１のそれぞれは、一枚のシート状の部材で構成する場合、接続部２１には、長手方向に沿って延びる少なくとも一つの罫線が形成されていてもよい。このようにする場合も、一対の保持板２０、及び接続部２１のそれぞれを一枚の板状の部材で構成しても、接続部２１のみを曲げやすくすることができる。
【００７８】
上記実施形態において、接続部２１は、一方向に長手をなすように形成されていたが、これに限定されるものではない。例えば、接続部２１は、各保持板２０の接続部２１に接続される複数の曲片であって、互いに間隔をあけて並ぶ複数の曲片を有するようにしてもよい。
【００７９】
上記実施形態において、接続部２１は、布によって構成されていたが、これに限定されるものではない。例えば、接続部２１は、可撓性を有するシート状の部材で構成したり、長手方向に沿って延びる少なくとも一つの罫線が形成されているシート状の部材で構成したりしてもよい。さらに、接続部２１は、蝶番によって構成してもよい。
【００８０】
上記実施形態において、保持板２０と帯状物保持部３とは、シート状の部材に切込線Ｌを形成することによって構成されていたが、これに限定されるものではない。例えば、帯状物保持部３は、保持板２０とは別の部材によって構成されていてもよい。このようにする場合、帯状物保持部３は、被固定片３１が保持板２０の外面や、対向面に接合されることによって、保持板２０の外面上や対向面に固定される。
【００８１】
また、帯状物保持部３を保持板２０の外面に固定する場合、保持板２０における帯状物保持部３の延出片３２と対応する領域には、該保持板２０の対向面と外面とに亘って貫通する穴２０３が形成されていてもよい。このようにすれば、衣類収容具１は、上記実施形態と同様に、保持板２０の穴２０３を通じて、衣服Ｃ１と帯状物Ｃ２とを接触させることができるようになる。
【００８２】
上記実施形態において、帯状物保持部３は、各保持板２０に対して二つずつ形成されていたが、これに限定されるものではなく、例えば、各保持板２０に対して帯状物保持部３が一つずつ形成されていてもよいし、一対の保持板２０のうちの何れか一方の保持板２０に対して少なくとも一つの帯状物保持部３が形成されていてもよい。
【００８３】
上記実施形態では、衣服保持部２に一つの衣服Ｃ１を収容することを前提として、衣服Ｃ１、及び帯状物Ｃ２を収容する方法についての説明を行ったが、これに限定されるものではない。例えば、衣類収容具１の衣服保持部２には、二枚の衣服Ｃ１を収容してもよい。
【００８４】
上記実施形態では、保持板２０の外面において帯状物Ｃ２を保持することについての説明を行ったが、これに限定されるものではない。例えば、衣類収容具１は、保持板２０の対向面側において帯状物Ｃ２を保持することもできる。
【００８５】
上記実施形態では、衣服保持部２に襟付きの衣服を収容することを前提として、衣服Ｃ１、及び帯状物Ｃ２を収容する方法についての説明を行ったが、これに限定されるものではない。例えば、衣類収容具１の衣服保持部２には、例えば、ティーシャツのように、襟が付いていない衣服を収容してもよい。
【００８６】
上記実施形態において、特に言及しなかったが、帯状物保持部３の押片３１と帯状物Ｃ２との間には、保護シート（例えば、ウレタンシート）を配置してもよい。このようにすれば、帯状物Ｃ２に対して、押片３１の押し型が付くことを防止することができる。
【符号の説明】
【００８７】
１…衣類収容具、２…衣服保持部、３…帯状物保持部、４…外装体、２０…保持板、２１…接続部、３０…被固定部、３１…押片、４０…カバー部、４１…連結部、２００…基端、２０１…先端、２０２…貫通穴、２０３…穴、４００…被覆部、４１０…被連結部、４１１…接続片、Ｃ１…衣服、Ｃ２…帯状物、Ｌ…切込線、Ｌ１…第一の切込線、Ｌ２…第二の切込線
【図１】
2016078918.tif 000003
【図２】
2016078918.tif 000004
【図３】
2016078918.tif 000005
【図４】
2016078918.tif 000006
【図５】
2016078918.tif 000007
【図６】
2016078918.tif 000008
【図７】
2016078918.tif 000009
【図８】
2016078918.tif 000010